(57)【要約】【課題】発熱体に通電するための導電線を収納することのできる融雪用側溝ブロック構造を提供する。【解決手段】Ｕ字側溝ブロック上縁部の段差部に溝を形成し、この溝内に発熱体に電力を供給する導電線を収納するとともに、所定箇所において導電線をＴ字型に接続し、該接続部はシリコン等を充填したＴ型接続カバーを介して被覆保護され、Ｔ接続カバーは、前記溝部と同様に段差部に形成された凹部内に収納されることで、導電線が側溝外部に露出することなく、外観的にもよく、かつ断線等の故障も防止することができる。【選択図】図１
2007051483.tif 000002
【特許請求の範囲】
【請求項１】
蓋体上面の融雪を行う側溝ブロックにおいて、蓋体内部に発熱体を有し、側溝ブロックの蓋受部に発熱体に電力を供給するための導電線を収納する溝部が形成されたことを特徴とする融雪用側溝ブロック構造。
【請求項２】
各導線の接続部を絶縁材が充填されたＴ型の接続カバーによって絶縁被覆するとともに、蓋受部に形成された溝部の所定位に、該T型接続カバーを収納するための凹部を形成したことを特徴とする請求項１記載の融雪用側溝ブロック構造。
【請求項３】
蓋体は、上面にゴム製マットを備えた構成であることを特徴とする請求項１及び２記載の融雪用側溝ブロック構造。
【発明の詳細な説明】
【技術分野】
【０００１】
本発明は、蓋体内に発熱体を備え、該発熱体に電力を供給することで蓋体上面に積雪した雪を融雪することのできる側溝ブロックの構造に関するものである。
【背景技術】
【０００２】
特許第３６１７９６１号公報には、側溝の蓋体上へのゴム製の側溝蓋被覆板の取り付け構造とともに、蓋体に融雪ヒータを取り付けた側溝の構造が開示されている。
【０００３】
しかしながら、この側溝構造においては、融雪ヒータへ電力を供給するための導電線をどのように配置、収納するか開示されていないため、導電線が側溝外部に露出した場合には、踏圧や導電線の接続部への浸水により断線等の故障が生じることも考えられる。
【特許文献１】特許第３６１７９６１号公報
【発明の開示】
【発明が解決しようとする課題】
【０００４】
そこで、本発明は上記事情に鑑みてなされたものであり、その目的とするところは、断線等の故障が少なく、効率よく融雪が可能で、かつ安価に施工することのできる融雪用側溝ブロック構造を提供することにある。
【課題を解決するための手段】
【０００５】
上記課題を解決するため、本発明の融雪用側溝ブロック構造は、Ｕ字側溝ブロック上縁部に形成される段差部の蓋受部に溝を形成して、該溝部に発熱体に接続して電力を供給するための導電線を収納することとする。
【０００６】
また、各導線の接続部を絶縁材が充填されたＴ型の接続カバーによって絶縁被覆するとともに、蓋受部に形成された溝部の所定位に、該T型接続カバーを収納するための凹部を形成することとする。尚、蓋体上面には、古タイヤ等から生成されたゴム製マットを備えた構成とする。
【発明の効果】
【０００７】
本発明の融雪用側溝ブロック構造によれば、発熱体に電力を供給するための導電線とその接続部が側溝ブロックに形成された溝部及び凹部内に収納さて外部に露出することがないため、外観的にもよく、尚且つ、踏圧や浸水等による断線の故障が生じにくく、しかも安価に施工することが可能である。
【０００８】
また、導電線や発熱体の接続部においては、接続カバーにより十分に水密が確保されるため、断線、漏電等を防止することができる。
【発明を実施するための最良の形態】
【０００９】
以下、本発明の一実施形態について、図面を参照して詳細に説明する。
【実施例１】
【００１０】
図１〜図６は、本発明に係る融雪用側溝ブロック構造の一実施例を示すもので、図１は蓋体２とともにＵ字側溝ブロック１の連結部分を示す斜視図、図２はその連結部分における断面図、図３はＵ字側溝ブロック１の中央部を示す断面図、図４はＵ字側溝ブロック１の連結部分を示す斜視図、図５は蓋体２の斜視図、図６は本実施例の配線図を示す図である。
【００１１】
Ｕ字側溝ブロック１は、略断面Ｕ字状のコンクリート製ブロック体であり、各ブロック体が長手方向に連結されて流路が形成される。Ｕ字側溝ブロック１の側壁上縁部内側は、左右ともに略断面Ｌ字状に切欠されて、側壁上面１３と案内面１２と蓋受面１１からなる段差部１６が形成されている。
【００１２】
左右の蓋受面１１には、長手方向に沿って溝部１４が切欠されるとともに、前面部及び背面部には、溝部１４よりも大きい切欠部が形成され、Ｕ字側溝ブロック１ａと１ｂが連結された時には、後述するＴ型接続カバー４１が収納される凹部１５が形成される。
【００１３】
一方、蓋体２は、コンクリート体２２上にゴム製マット２１が戴置された構成からなり、内部には通電により発熱する発熱体５を有している。長さはＵ字側溝ブロック１と同じであり、蓋受面１１上に戴置されてＵ字側溝ブロックの開口部が閉じられる。尚、蓋体２は、Ｕ字側溝ブロック１に戴置した場合に、Ｕ字側溝ブロック１の側壁上面と蓋体２の表面が水平になるような厚さの平板状とするか、若しくは、コンクリート体２２の下面両端部がＵ字側溝ブロック１の側壁上面と蓋体２の表面が水平になるよう段差部１６に係合させて切欠された構成でもよい。
【００１４】
また蓋体２の前面及び背面には発熱体５が収納される溝部２６及び２７が形成されて、該溝部に発熱体５が収納されることで、列設される蓋体が隙間なくＵ字側溝ブロック１上戴置されることになる。
【００１５】
蓋体２内の発熱体５は、例えば、コンクリート体２２上に反射板シート２３を敷設し、その上に金属棒２４を格子状に形成した枠体２５を戴置し、該枠体２５に発熱体５が蛇行状に一体に取り付け、その上にゴム製マット２１を戴置した構成とする。尚、金属棒２４の直径は発熱体５のそれよりも大きいものとすることで、踏圧から発熱体５を守ることが可能である。
【００１６】
発熱体５の端部は、導電線３２と内部にシリコン等の絶縁材を充填した接続カバー４２を介して被覆保護されて接続される。また、導電線３２は内部にシリコン等の絶縁材が充填されたT型接続カバー４１を介して被覆保護されて導電線３１ａ及び３１ｂと接続される。導電線３１ｂは電源３３に接続され、導電線３１ａは次に列設される蓋体内の発熱体に電力を供給するため同じように導電線に接続される。
【００１７】
このように、導電線３１は、各U字側溝ブロックの長さごとにT字状に導電線３２と接続され、その接続部分は内部にシリコン等の絶縁材を充填したT字型の防水カバー４１を介して被覆保護されるとともに、導電線３２は、接続カバー４２を介して被覆保護されて発熱体５と接続される。
【００１８】
この際、導電線３１はU字側溝ブロック１の溝部１４内に収納されるとともに、各導電線の接続部であるＴ型接続カバー４１は、Ｕ字側溝ブロック１ａ、１ｂが連結されることで形成される凹部１５内に収納される。
【００１９】
この実施形態によれば、融雪機能を有する側溝ブロックにおいて、内部の発熱体に電力を共有するための導電線やその接続部が側溝ブロック内に収納されるため、断線等による故障が生じにくく、且つ、安価に施工できる側溝ブロックを得ることが可能である。
【００２０】
尚、本実施例は、Ｕ字側溝ブロック１の単体と蓋体２の単体の長さを同じにしているが、必ずしもこれに限定されるわけではなく、Ｕ字側溝ブロック１の単体に対し、蓋体２が複数個列設されてＵ字側溝ブロック１の開口部が閉じられる場合には、蓋受面１１の所定位置に凹部１５を形成すればよい。また、発熱体５は、蓋体２のコンクリート体２２内に埋設してもよいし、ゴム製マット２１内に埋設してもよい。すなわち、本発明と同様の構成要件をみたしていれば、施工においては適宜変更可能である。
【図面の簡単な説明】
【００２１】
【図１】本発明の実施例を示す斜視図である
【図２】本発明の実施例を示す断面図である。
【図３】本発明の実施例に係るＵ字側溝ブロックの断面図である。
【図４】本発明の実施例に係るＵ字側溝ブロックの連結部分を示す斜視図である。
【図５】本発明の実施例に係る蓋体を示す斜視図である。
【図６】本発明の実施例に係る配線図を示す図である。
【符号の説明】
【００２２】
１    Ｕ字側溝ブロック
２    蓋体
５    発熱体
１１    蓋受面
１４    溝部
１５    凹部
１６    段差部
２６、２７    溝部
３１、３２    導電線
４１、４３    Ｔ型接続カバー
４２、４４    接続カバー
【図１】
2007051483.tif 000003
【図２】
2007051483.tif 000004
【図３】
2007051483.tif 000005
【図４】
2007051483.tif 000006
【図５】
2007051483.tif 000007
【図６】
2007051483.tif 000008